(57)【特許請求の範囲】
【請求項１】
既設の外壁に屋外側に縦胴縁を介して新設の外壁材を取り付け、屋内外方向に巾が狭く且つ左右方向の巾が充分に広い偏平な筒状に竪樋を形成すると共に竪樋の左右方向の端部から側方にひれ部を延出し、縦胴縁の間に竪樋を配設すると共にひれ部を縦胴縁の屋外側の面に固定し、ひれ部を縦胴縁の屋外側の面と新設の外壁材の屋内側の面とで挟持させて、既設の外壁と新設の外壁材との間に竪樋を介装してなることを特徴とする外壁構造。
【請求項２】
上記竪樋は、軒樋と接続する上部継手と、上下に長い筒状の竪樋本体と、排水手段を有する下部継手とで形成され、竪樋本体の上端に上部継手が着脱自在に嵌め込まれると共に竪樋本体の下端に下部継手が着脱自在に嵌め込まれ、竪樋本体を上下に亘って一様な水平断面の筒体で形成したことを特徴とする請求項１に記載の外壁構造。
【請求項３】
下部継手が下方にいくにつれ先細に形成されると共に下端部に排水手段を設けたことを特徴とする請求項２に記載の外壁構造。
【発明の詳細な説明】
【０００１】
【発明の属する技術分野】
本発明は、既設の外壁の屋外面に新設の外壁材を取り付ける改装の際などに、既設の外壁と新設の外壁材との間の空間に竪樋を配設した外壁構造に関する発明である。
【０００２】
【従来の技術】
従来から、周知のように雨樋の竪樋は建物の外面において固定具等を介して取り付けられているものであり、既設の外壁の屋外側に新設の外壁材を貼り付けるような改装の際の施工では、竪樋を一旦取り外し、新設の外壁材が既設の外壁の屋外側に取り付けられた後に、新設の外壁材の屋外側に再び竪樋を取り付けるものであった。しかしながら、竪樋を外壁の屋外側に配設することは建物の外観上好ましいものではなく、外壁に露出した竪樋は何らかの衝撃を受けやすく破損しやすいものであった。破損した竪樋は雨水を漏洩し、建物の外観を更に劣悪なものとしてしまうものである。しかして、改装の際に既設の外壁の屋外側と新設の外壁材の屋内側との間の隙間に竪樋を配設する施工を行い、既設の外壁の屋外側に配設された竪樋を取り外さずに、上記竪樋の屋外側から竪樋を被覆するように既設の外壁に新設の外壁材を貼り付けるものがあった。これによると、竪樋が外壁の屋外側に露出しないものであり、建物の外観の向上と竪樋の破損の危険性の低下を期することができるものであるが、既設の外壁の屋外側と新設の外壁材の屋内側との間の隙間を竪樋の屋内外方向の巾よりも大きなものとしなければならず、新設の外壁材の既設の外壁からの突出量が大きなものとなってしまうものであった。
【０００３】
【発明が解決しようとする課題】
本発明は上記の点に鑑みてなされたものであり、竪樋が新設の外壁材の屋外側に露出することなく、新設の外壁材を既設の外壁の屋外側に貼り付けた際に新設の外壁材が既設の外壁から屋外側に突出する突出量を抑えた外壁の構造を提供することを課題とするものである。
【０００４】
【課題を解決するための手段】
上記課題を解決するために本発明の請求項１に係る外壁構造は、既設の外壁１に屋外側に縦胴縁３を介して新設の外壁材２を取り付け、屋内外方向に巾が狭く且つ左右方向の巾が充分に広い偏平な筒状に竪樋４を形成すると共に竪樋４の左右方向の端部から側方にひれ部６を延出し、縦胴縁３，３の間に竪樋４を配設すると共にひれ部６を縦胴縁３の屋外側の面に固定し、ひれ部６を縦胴縁３の屋外側の面と新設の外壁材２の屋内側の面とで挟持させて、既設の外壁１と新設の外壁材２との間に竪樋４を介装してなることを特徴とする。これにより、既設の外壁１の屋外側と新設の外壁材２の屋内側との間に介装される竪樋４が屋内外方向に巾が狭く且つ左右方向の巾が充分に広い偏平な筒状のものであるので、軒樋５から流れ込む雨水の流量を確保すると共に、既設の外壁１の屋外側と新設の外壁材２の屋内側との間の巾を狭くして新設の外壁材２が既設の外壁１から屋外側へ突出する突出量を少なくすることができるものである。また、竪樋４の左右方向の端部から側方にひれ部６を延出し、縦胴縁３，３の間に竪樋４を配設すると共にひれ部を縦胴縁３の屋外側の面に固定したことで、新たな固定具等を用いることなく既設の外壁１と新設の外壁材２との間に竪樋４を固定できるものである。また更に、ひれ部６が縦胴縁３の屋外側の面と新設の外壁材２の屋内側の面とで挟持されるから、縦胴縁３を介して行われる既設の外壁１の屋外側への新設の外壁材２の貼り付けによって竪樋４をより強固に既設の外壁１と新設の外壁材２との間に介装することができるのである。
【０００６】
また、本発明の請求項２に係る外壁構造は、請求項１において、上記竪樋４は、軒樋５と接続する上部継手７と、上下に長い筒状の竪樋本体８と、排水手段１０を有する下部継手９とで形成され、竪樋本体８の上端に上部継手７が着脱自在に嵌め込まれると共に竪樋本体８の下端に下部継手９が着脱自在に嵌め込まれ、竪樋本体８を上下に亘って一様な水平断面の筒体で形成したことを特徴とする。これにより、竪樋本体８を上下に亘って一様な水平断面の筒体で形成したことで、竪樋本体８を任意位置で水平方向に切断しても一様な水平断面を得ることができ、更に、上記水平断面は上部継手７及び下部継手９に嵌合することができることから、竪樋４の上下方向の高さを竪樋本体８を水平方向に切断することで変化させ、建物の高さに対応して竪樋４の高さを簡単に合わせることができるものである。
【０００７】
また、本発明の請求項３に係る外壁構造は、請求項２において、下部継手９が下方にいくにつれ先細に形成されると共に下端部に排水手段１０を設けたことを特徴とする。これにより、下部継手９には軒樋５から流れ落ちる雨水が上部継手７及び竪樋本体８を介して流れ込むものであるが、下部継手９を下方にいくにつれ先細に形成したことで、上記下部継手９に流れ込んだ雨水を下部継手９の形状に沿わせて下方にいくにつれ集水することができ、また、下端部に排水手段１０を設けたことで、上記集水された雨水を排水手段１０から排水することができるものであり、竪樋４に流れる雨水を滞りなく効果的に排水することができるものである。
【０００８】
【発明の実施の形態】
以下、本発明を添付図面に示す実施形態に基づいて説明するものであり、図５乃至図７に本発明の竪樋４を示すものであり、図１乃至図４には、上記竪樋４を建物に配設した状態を示すものである。
【０００９】
竪樋４は、図５に示す上部継手７と、図６に示す竪樋本体８と、図７に示す下部継手９でもって構成されるものである。上部継手７は、屋内外方向に巾が狭く、且つ、左右方向の巾が充分に広い偏平な有底筒体であり、下面に開口する中空部１３を内部に形成し、上記中空部１３に連通する連結管１２が上部継手７の屋外側の面の上部から屋外方向の斜め上方に向って突設しているものである。また、上部継手７の下部には竪樋本体８よりも一回り小さく形成された嵌合部１４を設けているものである。竪樋本体８は、屋内外方向に巾が狭く、且つ、左右方向の巾が充分に広い偏平な筒体である。上記筒体は上下に亘って一様な水平断面を有し、上下に貫通した中空部１５を内部に形成しているものである。また、竪樋本体８の左右方向の端部にはひれ状のひれ部６が側方に向って突設されているものである。下部継手９は、屋内外方向に巾が狭く、且つ、左右方向の巾が充分に広い偏平な有底筒体であり、下方向にいくにつれ先細に形成され、内部には上方に開口を有した中空部１６が形成されているものである。また、下部継手９の屋外側の面の下端部には、上記中空部１６と連通した管状の排水手段１０を屋外側に向けて突設しているものである。また、下部継手９の上部には竪樋本体８より一回り大きく形成された嵌合部１７を設けているものである。
【００１０】
上記のように形成された上部継手７，竪樋本体８及び下部継手９は、竪樋本体８の上下端で上部継手７及び下部継手９と着脱自在に連結して竪樋４を形成するものである。つまり、上部継手７の嵌合部１４を竪樋本体８の中空部１５内に嵌合すると共に、竪樋本体８を下部継手９の嵌合部１７内に嵌合するものである。上記のようにして形成された竪樋４は、屋内外方向に巾が狭く、且つ、左右方向の巾が充分に広い偏平な筒形状を有するものであり、中空部１３，１５，１７が連通して雨水流路が形成されるものである。また、竪樋４は竪樋本体８が上部継手７を、下部継手９が竪樋本体８を受けるように下方の部材がより大きく形成されているので、雨水流路を流れる雨水が漏れにくい構造にしてあるものである。
【００１１】
既設の外壁１に新設の外壁材２を貼り付ける際には、既設の外壁１の屋外側と新設の外壁材２の屋内側の間に胴縁を介在させて両者を固定されるものである。本例は上述した竪樋４を既設の外壁１の屋外側と新設の外壁材２の屋内側の間に上下に亘って配設するために、胴縁は上下に亘って配設される縦胴縁３を用いるものであり、縦胴縁３は左右方向に適度な間隔を保って既設の外壁１に上下に亘って取り付けられるものである。
【００１２】
上記竪樋４を既設の外壁１の屋外側に配設するには、まず、竪樋４を建物に合わせて上下方向の長さを調節するものである。建物に合わせて上下方向の長さを調整するには、具体的には竪樋本体８を水平切断して行われるものである。竪樋本体８は上述したように上下に亘って一様な水平断面の筒体で形成したものであり、竪樋本体８を任意位置で水平方向に切断しても一様な水平断面を得ることができるものである。上部継手７及び下部継手９は竪樋本体８の水平断面であれば嵌合することができることから、竪樋本体８を水平方向に切断することで竪樋４の上下方向の高さを変化させることができるのである。
【００１３】
上記のように、建物に合わせて上下方向の長さを調節した竪樋４は、縦胴縁３，３の間で、且つ、既設の外壁１の屋外側と新設の外壁材２の屋内側との間に配設されるものである。具体的には、竪樋本体８の左右方向端部から側方に突設したひれ部６を縦胴縁３の屋外側の面に隣接させ、くぎ等の固定具を打ち込むことで竪樋４を縦胴縁３に固着させるものである。更に、この状態で、新設の外壁材２を、屋外側からくぎ等の固定具を打ち込んで縦胴縁３に貼り付けるものであり、ひれ部６は新設の外壁材２及び縦胴縁３により挟持されてより強固に固着されるものである。
【００１４】
このように、新設の外壁材２は竪樋４及び縦胴縁３の屋外側に貼り付けられるものであり、竪樋４は縦胴縁３，３の間で、且つ、既設の外壁１の屋外側と新設の外壁材２の屋内側との間に配設されるものである。ここで、上述したように竪樋４は屋内外方向に巾が狭く、且つ、左右方向の巾が充分に広い偏平な筒体に形成されているため、既設の外壁１の屋外側と新設の外壁材２の屋内側との巾を狭くすることができるものである。つまり、新設の外壁材２が既設の外壁１から屋外側へ突出する突出量を抑えることができ、外壁材２を新設する際に必要となる面積が少なくて済むものである。
【００１５】
更に、本例では、新設の外壁材２には連結管１２及び排水手段１０に合わせて貫通孔が穿設されており、上記一方の貫通孔には上部継手７から突出した連結管１２が屋外方向に挿入していると共に、他方の貫通孔には下部継手９から突出した排水手段１０が屋外方向に挿入しているものである。この連結管１２には軒樋５の集水器から延出した呼び樋１１と連結するものである。すなわち、屋根に降った雨は軒樋５の集水器で集水され、呼び樋１１を伝い、連結管１２から竪樋４に流れ込むものである。竪樋４に流れ込んだ雨水は中空部１３，１５を介して下部継手９の中空部１７に至り、下部継手９の下端部の排水手段１０から新設の外壁材２の屋外に排水されるものである。このとき、下部継手９では上述したように下方にいくにつれ先細に形成しているので、上記下部継手９に流れ込んだ雨水を下部継手９の下方で集水すると共に下端部に位置した排水手段１０から排水することができるものであり、竪樋４に流れ込んだ雨水を滞りなく効果的に排水することができるものである。
【００１６】
【発明の効果】
上記のように本発明の請求項１記載の外壁構造にあっては、既設の外壁に屋外側に縦胴縁を介して新設の外壁材を取り付け、屋内外方向に巾が狭く且つ左右方向の巾が充分に広い偏平な筒状の竪樋を既設の外壁と新設の外壁材との間に介装してなるので、左右方向の巾が充分に広い偏平な筒状の竪樋が、軒樋から流れ込む雨水の流れ得る流量を確保しながらも、既設の外壁の屋外側と新設の外壁材の屋内側との間の巾を狭くしても既設の外壁に新設の外壁材を貼り付けることができ、新設の外壁材が既設の外壁から屋外側へ突出する突出量を少なくすることができるものであり、外壁材を新設する際に必要となる面積が少なくて済むものである。また、竪樋の左右方向の端部から側方にひれ部を延出し、縦胴縁の間に竪樋を配設すると共にひれ部を縦胴縁の屋外側の面に固定したので、新たな固定具等を用いることなく既設の外壁と新設の外壁材との間に竪樋を固定することができるものであり、施工作業の簡易化を図ることができるものである。また更に、ひれ部を縦胴縁の屋外側の面と新設の外壁材の屋内側の面とで挟持させたので、縦胴縁を介して行われる既設の外壁の屋外側への新設の外壁材の貼り付けによって竪樋をより強固に既設の外壁と新設の外壁材との間に介装することができるのである。
【００１８】
また、本発明の請求項２に係る外壁構造は、請求項１の効果に加えて、上記竪樋は、軒樋と接続する上部継手と、上下に長い筒状の竪樋本体と、排水手段を有する下部継手とで形成され、竪樋本体の上端に上部継手が着脱自在に嵌め込まれると共に竪樋本体の下端に下部継手が着脱自在に嵌め込まれ、竪樋本体を上下に亘って一様な水平断面の筒体で形成したので、竪樋本体を任意位置で水平方向に切断しても一様な水平断面を得ることができ、更に、上記水平断面は上部継手及び下部継手に嵌合することができることから、竪樋の上下方向の高さを竪樋本体を水平方向に切断することで変化させ、建物の高さに対応して竪樋４の高さを簡単に合わせることができるものであり、施工作業の簡易化を図ることができるものである。
【００１９】
また、本発明の請求項３に係る外壁構造は、請求項２の効果に加えて、下部継手が下方にいくにつれ先細に形成されると共に下端部に排水手段を設けたので、軒樋から流れ落ちる雨水が上部継手及び竪樋本体を介して下部継手に流れ込んだ際に、上記雨水を下部継手の形状に沿わせて下方にいくにつれて自然に集水すると共に下端部に位置した排水手段から排水することができるものであり、竪樋に流れる雨水を滞りなく効果的に排水することができるものである。
【図面の簡単な説明】
【図１】本発明の実施の形態の例を示すもので、既設の外壁と新設の外壁材の間に竪樋を配設した状態の水平断面図である。
【図２】図１のＡ−Ａ断面図である。
【図３】同上の既設の外壁に竪樋を配設した状態（新設の外壁材を装着する前の状態）の正面図である。
【図４】図３の一部分を拡大するものであり、（ａ）は上部継手付近を拡大した斜視図であり、（ｂ）は下部継手付近を拡大した斜視図である。
【図５】同上の竪樋の上部継手を示すもので、（ａ）は正面図であり、（ｂ）は（ａ）のＢ−Ｂ断面図である。
【図６】同上の竪樋の竪樋本体を示すもので、（ａ）は正面図であり、（ｂ）は側面図である。
【図７】同上の竪樋の下部継手を示すもので、（ａ）は正面図であり、（ｂ）は（ａ）のＣ−Ｃ断面図である。
【符号の説明】
１  既設の外壁
２  新設の外壁材
３  縦胴縁
４  竪樋
５  軒樋
６  ひれ部
７  上部継手
８  竪樋本体
９  下部継手
１０  排水手段
１１  呼び樋
１２  連結管
【図１】
0003584846.tif 000002
【図２】
0003584846.tif 000003
【図３】
0003584846.tif 000004
【図４】
0003584846.tif 000005
【図５】
0003584846.tif 000006
【図６】
0003584846.tif 000007
【図７】
0003584846.tif 000008